(57)【要約】【課題】従来の照明装置よりも小型で、且つ、正面側の面全体の輝度をより一層均斉化できる照明装置を提供する。【解決手段】照明装置１は、光出射面１１０の少なくとも中央部１１２及び周縁部１１４から光を出射する面光源１００が、該面光源１００の側部１２０で互いに当接しながら隣り合うようにして配置された複数の面光源１００と、複数の面光源１００の光出射面１１０の側に載置され、面光源１００の光出射面１１０から出射した光が入射する第１主面２１０、及び、該第１主面２１０と反対側の面であって第１主面２１０から入射した光が出射する第２主面２２０を有する光透過性板２００と、を備える。周縁部１１４と光透過性板２００の第１主面２１０との間の間隙をＤ１とし、面光源１００の光出射面１１０の中央部１１２と光透過性板２００の第１主面２１０との間の間隙をＤ２としたとき、実質的にＤ１＝Ｄ２＝０ｍｍの関係にある。【選択図】図１
2019102163.tif 000002
【特許請求の範囲】
【請求項１】
光出射面の少なくとも中央部及び周縁部から光を出射する面光源が、該面光源の側部で互いに当接しながら隣り合うようにして配置された複数の前記面光源と、
前記複数の前記面光源の前記光出射面の側に載置され、前記面光源の前記光出射面から出射した光が入射する第１主面、及び、該第１主面と反対側の面であって前記第１主面から入射した光が出射する第２主面を有する光透過性板と、を備え、
前記面光源の前記光出射面の前記周縁部のうち、別の前記面光源に隣接する辺の側に位置する前記周縁部と前記光透過性板の前記第１主面との間の間隙をＤ１とし、前記面光源の前記光出射面の前記中央部と前記光透過性板の前記第１主面との間の間隙をＤ２としたとき、
実質的にＤ１＝Ｄ２＝０ｍｍの関係にあることを特徴とする照明装置。
【請求項２】
請求項１に記載の照明装置において、
前記面光源は、
端面及び第１光出射面を有する導光板と、
前記端面に臨むようにして配置され、前記端面に向かって光を出射する発光源と、
前記導光板の前記第１光出射面の側に配置され、前記第１光出射面から出射した光が入射する第１光入射面及び該第１光入射面から入射した光が出射する第２光出射面を有する光拡散板と、を有し、
前記光拡散板は、前記導光板側に突出し、前記導光板の前記第１光出射面の周縁部のうち少なくとも前記発光源を臨む前記端面側の前記周縁部に対向する位置に設けられ、前記第１光出射面の前記周縁部から出射する光が入射する第２光入射面を有する凸条部を有するものであり、
前記光拡散板の前記第２光出射面が前記面光源の前記光出射面を構成し、前記光拡散板の外周端面が前記面光源の外周端面を構成することを特徴とする照明装置。
【請求項３】
光出射面の少なくとも中央部及び周縁部から光を出射する面光源が、該面光源の側部で互いに当接しながら隣り合うようにして配置された複数の前記面光源と、
前記複数の前記面光源の前記光出射面の側に載置され、前記面光源の前記光出射面から出射した光が入射する第１主面、及び、該第１主面と反対側の面であって前記第１主面から入射した光が出射する第２主面を有する光透過性板と、を備え、
前記面光源の前記光出射面の前記周縁部のうち、別の前記面光源に隣接する辺の側に位置する前記周縁部と前記光透過性板の前記第１主面との間の間隙をＤ１とし、前記面光源の前記光出射面の前記中央部と前記光透過性板の前記第１主面との間の間隙をＤ２としたとき、
実質的にＤ１＞Ｄ２≧０ｍｍの関係にあることを特徴とする照明装置。
【請求項４】
請求項３に記載の照明装置において、
前記面光源の前記光出射面の前記周縁部に、前記光出射面と前記側部とを接続する傾斜部が設けられたことを特徴とすることを特徴とする照明装置。
【請求項５】
請求項３又は４に記載の照明装置において、
前記面光源は、
端面及び第１光出射面を有する導光板と、
前記端面に臨むようにして配置され、前記端面に向かって光を出射する発光源と、
前記導光板の前記第１光出射面の側に配置され、前記第１光出射面から出射した光が入射する第１光入射面及び該第１光入射面から入射した光が出射する第２光出射面を有する光拡散板と、を有し、
前記光拡散板は、前記導光板側に突出し、前記導光板の前記第１光出射面の周縁部のうち少なくとも前記発光源を臨む前記端面側の前記周縁部に対向する位置に設けられ、前記第１光出射面の前記周縁部から出射する光が入射する第２光入射面を有する凸条部を有するものであり、
前記光拡散板の前記第２光出射面が前記面光源の前記光出射面を構成し、前記光拡散板の外周端面が前記面光源の外周端面を構成することを特徴とする照明装置。
【請求項６】
請求項３に記載の照明装置において、
前記面光源は、
端面及び第１光出射面を有する導光板と、
前記端面に臨むようにして配置され、前記端面に向かって光を出射する発光源と、
前記導光板の前記第１光出射面の側に配置され、前記第１光出射面から出射した光が入射する第１光入射面及び該第１光入射面から入射した光が出射する第２光出射面を有する光拡散板と、を有し、
前記光拡散板の前記第２光出射面は前記面光源の前記光出射面を構成し、前記光拡散板の外周端面は前記面光源の外周端面の少なくとも一部を構成し、
前記光拡散板は、前記導光板側に突出し、前記導光板の前記第１光出射面の周縁部のうち少なくとも前記発光源を臨む前記端面側の前記周縁部に対向する位置に設けられ、前記第１光出射面の前記周縁部から出射する光が入射する第２光入射面を有する凸条部を有し、
前記光拡散板には、前記第２光出射面を構成する光出射前面と外周端面とを接続する傾斜部が設けられ、
前記光拡散板の前記凸条部を、前記光出射前面に直交し且つ前記外周端面に直交する平面で切断して、当該凸条部の断面を視たときに、
前記外周端面に垂直な方向における前記凸条部の厚みをＷと定義し、前記光出射前面に垂直な方向における、前記第２光入射面から前記光出射前面までの前記凸条部の高さをＨと定義し、前記光出射前面の仮想延長線及び前記外周端面の仮想延長線の交点と前記光出射前面から前記傾斜部に切り替わる点との間の長さをＭと定義し、前記交点と前記外周端面から前記傾斜部に切り替わる点との間の長さをＬと定義したとき、
（３／１０）Ｗ≦Ｍ≦（１５／１０）Ｗ、且つ、（２／１０）Ｈ≦Ｌ≦（９／１０）Ｈの関係を満たすように前記傾斜部が形成されていることを特徴とする照明装置。
【請求項７】
請求項６に記載の照明装置において、
（５／１０）Ｗ≦Ｍ≦（１３／１０）Ｗ、且つ、（５／１０）Ｈ≦Ｌ≦（８／１０）Ｈの関係を満たすように前記傾斜部が形成されていることを特徴とする照明装置。
【請求項８】
請求項３〜７のいずれかに記載の照明装置において、
前記面光源を水平面に正置したときに、前記光出射面の前記中央部の高さは、前記光出射面の前記周縁部の高さよりも高くなるよう構成されていることを特徴とする照明装置。
【請求項９】
請求項１〜８のいずれかに記載の照明装置において、
前記光透過性板は、溶剤により溶着されて前記面光源に載置されていることを特徴とする照明装置。
【発明の詳細な説明】
【技術分野】
【０００１】
本発明は、照明装置に関する。
【背景技術】
【０００２】
近年、比較的大面積の平面板を用いた照明装置が注目されている。例えば、表面に所望の文字、図形、絵画、写真等（これらを総称して「図柄」と呼ぶ。）を予め印刷した光透過性板を照明装置の正面側に配置し、該光透過性板に対して照明装置の背面側に光源を配置した上で、該光源からの光を光透過性板に照射させて図柄を浮かび上がらせるようにしながら、正面側から光を出射させることができる照明装置が知られている。このような照明装置は、例えば、広告媒体として、またインテリアの素材として広く用いられつつあり、要請が高まっている。
【０００３】
図１１は、従来の照明装置８００を説明するために示す照明装置８００の断面図である。図における矢印は、照明装置８００内を進行する光の一部を例示的に説明するためのものであり、矢印の方向は光の進行方向を便宜的に示すものである。
従来の照明装置８００は、図１１に示すように、複数の発光源８４０と光透過性板２００とを備える。
複数の発光源８４０は、平面的に離散的に配置され、外装ケース８７０の内部に収容されている。それぞれの発光源８４０は、点光源《電球、ＬＥＤ（Light Emitting Diode）等》又は線光源（蛍光管等）からなる。
光透過性板２００は、複数の発光源８４０から出射した光が入射する第１主面２１０、及び、該第１主面２１０と反対側の面であって第１主面２１０から入射した光が出射する第２主面２２０を有している。光透過性板２００は、第２主面２２０が外部に現れるようにして外装ケース８７０に固定されている。光透過性板２００は、例えばアクリル板からなる。第２主面２２０の側には図柄を表現した図柄層３００を付加してもよい。
従来の照明装置８００によれば、光透過性板２００が比較的大面積なものであったとしても、複数の発光源８４０によって光透過性板２００に光を照射するので、光透過性板２００の第２主面２２０全体を明るく輝かせながら、第２主面２２０全体から光を出射することができる。このような構成の照明装置８００は、例えば広告用の看板等に用いられている。
【０００４】
しかしながら、従来の照明装置８００は、光源とするものが点光源又は線光源であり、且つ、これらの光源が離散的に配置されたものである。したがって、照明装置８００の正面側の面（光透過性板２００の第２主面２２０）に輝度ムラが目立つようにして現れてしまうという課題がある。
【０００５】
このような課題に対し、別の従来の照明装置も提案されている（例えば、特許文献１参照。）。
図１２は、別の従来の照明装置９００を説明するために示す図である。図１２（ａ）は、照明装置８００を組み立てる前の状態を示す斜視図である。図１２（ｂ）は、図１２（ａ）のＩ−Ｉ’線に沿って照明装置８００を切断したときの照明装置８００の中央部付近を表した要部断面図である。なお、符号９４２ａ，９４２ｂ，９４２ｃは回路基板を指し、９９０は補助拡散部材を指している。
【０００６】
別の従来の照明装置９００は、図１２に示すように、面光源９１０及び光透過性板２００を備える。別の従来の照明装置９００で用いられる面光源９１０は、それぞれ第１光出射面９３４ａ，９３４ｂを有する２枚の導光板９３０ａ，９３０ｂが、発光源９４０ａを挟みながら隣り合うようにして配置されてなる。一方、光透過性板２００は、面光源９１０の光出射面（第１光出射面９３４ａ，９３４ｂ）の側に配置されている。光透過性板２００は、面光源９１０の光出射面（第１光出射面９３４ａ，９３４ｂ）から出射した光が入射する第１主面２１０、及び、該第１主面２１０と反対側の面であって第１主面２１０から入射した光が出射する第２主面２２０を有する。
別の従来の照明装置９００によれば、面光源９１０が用いられているため、従来の照明装置８００に比べ、照明装置の正面側の面（光透過性板２００の第２主面２２０）に現れる輝度ムラを緩和することができる。
【先行技術文献】
【特許文献】
【０００７】
【特許文献１】特開２０１１−２０３７３５号公報
【特許文献２】特開２０１４−１５００４９号公報
【発明の概要】
【発明が解決しようとする課題】
【０００８】
しかしながら、別の従来の照明装置９００の導光板９３０ａと導光板９３０ｂとは、発光源９４０ａを挟んで互いに離間して配置されており、別言すると、導光板９３０ａと導光板９３０ｂとの間には発光源９４０ａを配置するため空間が必要となっている。したがって、別の従来の照明装置９００は、少なくとも当該空間の分は長手方向の寸法が大きくなってしまい、全体としても大型化してしまう。
また、別の従来の照明装置９００は、照明装置９００の正面側の面全体（光透過性板２００の第２主面２２０全体）の輝度ムラを緩和するために、支持部材９８０によって、面光源９１０と光透過性板２００との間に面全体に渡って間隙が設けられている。したがって、照明装置９００は、少なくとも当該間隙の分は厚み方向の寸法が大きくなってしまい、全体としても大型化してしまう。
【０００９】
そこで、本発明は上記事情に鑑みてなされたものであり、従来の照明装置よりも小型で、且つ、正面側の面全体の輝度をより一層均斉化できる照明装置を提供することを目的とする。
【課題を解決するための手段】
【００１０】
［１］本発明の第１の照明装置は、光出射面の少なくとも中央部及び周縁部から光を出射する面光源が、該面光源の側部で互いに当接しながら隣り合うようにして配置された複数の前記面光源と、前記複数の前記面光源の前記光出射面の側に載置され、前記面光源の前記光出射面から出射した光が入射する第１主面、及び、該第１主面と反対側の面であって前記第１主面から入射した光が出射する第２主面を有する光透過性板と、を備え、前記面光源の前記光出射面の前記周縁部のうち、別の前記面光源に隣接する辺の側に位置する前記周縁部と前記光透過性板の前記第１主面との間の間隙をＤ１とし、前記面光源の前記光出射面の前記中央部と前記光透過性板の前記第１主面との間の間隙をＤ２としたとき、実質的にＤ１＝Ｄ２＝０ｍｍの関係にあることを特徴とする。
【００１１】
［２］本発明の第１の照明装置において、前記面光源は、端面及び第１光出射面を有する導光板と、前記端面に臨むようにして配置され、前記端面に向かって光を出射する発光源と、前記導光板の前記第１光出射面の側に配置され、前記第１光出射面から出射した光が入射する第１光入射面及び該第１光入射面から入射した光が出射する第２光出射面を有する光拡散板と、を有し、前記光拡散板は、前記導光板側に突出し、前記導光板の前記第１光出射面の周縁部のうち少なくとも前記発光源を臨む前記端面側の前記周縁部に対向する位置に設けられ、前記第１光出射面の前記周縁部から出射する光が入射する第２光入射面を有する凸条部を有するものであり、前記光拡散板の前記第２光出射面が前記面光源の前記光出射面を構成し、前記光拡散板の外周端面が前記面光源の外周端面を構成していることが好ましい。
【００１２】
［３］本発明の第２の照明装置は、光出射面の少なくとも中央部及び周縁部から光を出射する面光源が、該面光源の側部で互いに当接しながら隣り合うようにして配置された複数の前記面光源と、前記複数の前記面光源の前記光出射面の側に載置され、前記面光源の前記光出射面から出射した光が入射する第１主面、及び、該第１主面と反対側の面であって前記第１主面から入射した光が出射する第２主面を有する光透過性板と、を備え、前記面光源の前記光出射面の前記周縁部のうち、別の前記面光源に隣接する辺の側に位置する前記周縁部と前記光透過性板の前記第１主面との間の間隙をＤ１とし、前記面光源の前記光出射面の前記中央部と前記光透過性板の前記第１主面との間の間隙をＤ２としたとき、実質的にＤ１＞Ｄ２≧０ｍｍの関係にあることを特徴とする。
【００１３】
［４］上記［３］に記載の本発明の第２の照明装置において、前記面光源の前記光出射面の前記周縁部に、前記光出射面と前記側部とを接続する傾斜部が設けられていることが好ましい。
【００１４】
［５］上記［３］又は［４］に記載の本発明の第２の照明装置において、前記面光源は、端面及び第１光出射面を有する導光板と、前記端面に臨むようにして配置され、前記端面に向かって光を出射する発光源と、前記導光板の前記第１光出射面の側に配置され、前記第１光出射面から出射した光が入射する第１光入射面及び該第１光入射面から入射した光が出射する第２光出射面を有する光拡散板と、を有し、前記光拡散板は、前記導光板側に突出し、前記導光板の前記第１光出射面の周縁部のうち少なくとも前記発光源を臨む前記端面側の前記周縁部に対向する位置に設けられ、前記第１光出射面の前記周縁部から出射する光が入射する第２光入射面を有する凸条部を有するものであり、前記光拡散板の前記第２光出射面が前記面光源の前記光出射面を構成し、前記光拡散板の外周端面が前記面光源の外周端面を構成していることが好ましい。
【００１５】
［６］上記［３］に記載の本発明の第２の照明装置において、前記面光源は、端面及び第１光出射面を有する導光板と、前記端面に臨むようにして配置され、前記端面に向かって光を出射する発光源と、前記導光板の前記第１光出射面の側に配置され、前記第１光出射面から出射した光が入射する第１光入射面及び該第１光入射面から入射した光が出射する第２光出射面を有する光拡散板と、を有し、前記光拡散板の前記第２光出射面は前記面光源の前記光出射面を構成し、前記光拡散板の外周端面は前記面光源の外周端面の少なくとも一部を構成し、前記光拡散板は、前記導光板側に突出し、前記導光板の前記第１光出射面の周縁部のうち少なくとも前記発光源を臨む前記端面側の前記周縁部に対向する位置に設けられ、前記第１光出射面の前記周縁部から出射する光が入射する第２光入射面を有する凸条部を有し、前記光拡散板には、前記第２光出射面を構成する光出射前面と外周端面とを接続する傾斜部が設けられ、前記光拡散板の前記凸条部を、前記光出射前面に直交し且つ前記外周端面に直交する平面で切断して、当該凸条部の断面を視たときに、前記外周端面に垂直な方向における前記凸条部の厚みをＷと定義し、前記光出射前面に垂直な方向における、前記第２光入射面から前記光出射前面までの前記凸条部の高さをＨと定義し、前記光出射前面の仮想延長線及び前記外周端面の仮想延長線の交点と前記光出射前面から前記傾斜部に切り替わる点との間の長さをＭと定義し、前記交点と前記外周端面から前記傾斜部に切り替わる点との間の長さをＬと定義したとき、
（３／１０）Ｗ≦Ｍ≦（１５／１０）Ｗ、且つ、（２／１０）Ｈ≦Ｌ≦（９／１０）Ｈ
の関係を満たすように前記傾斜部が形成されていることが好ましい。
【００１６】
［７］上記［６］に記載の第２の照明装置において、
（５／１０）Ｗ≦Ｍ≦（１３／１０）Ｗ、且つ、（５／１０）Ｈ≦Ｌ≦（８／１０）Ｈ
の関係を満たすように前記傾斜部が形成されていることが一層好ましい。
【００１７】
［８］上記［３］〜［７］に記載の第２の照明装置において、前記面光源を水平面に正置したときに、前記光出射面の前記中央部の高さは、前記光出射面の前記周縁部の高さよりも高くなるよう構成されていることが好ましい。
【００１８】
［９］上記［１］〜［２］に記載の第１の照明装置、及び、上記［３］〜［８］に記載の第２の照明装置において、前記光透過性板は、溶剤により溶着されて前記面光源に載置されていることが好ましい。
【発明の効果】
【００１９】
本発明の第１の照明装置によれば、光透過性板を第１主面（裏面）から照らす光源は、従来の照明装置のような点光源でもなく線光源でもない面光源であるため、また、当該面光源としては中央部のみならず周縁部からも光を出射する面光源（いわゆる「縁なし」の面光源）を用いているため、光透過性板の第２主面全体の輝度をより一層均斉化することができる。
また、複数の面光源が、側部で互いに当接しながら隣り合うようして配置されているため、面光源同士の間に特段の間隙を設ける必要がない。
さらに、面光源の光出射面の周縁部のうち、別の面光源に隣接する辺の側に位置する周縁部と光透過性板の第１主面との間の間隙をＤ１とし、面光源の光出射面の中央部と光透過性板の第１主面との間の間隙をＤ２としたとき、実質的にＤ１＝Ｄ２＝０ｍｍの関係にある。このため、面光源の光出射面全体と光透過性板の第１主面との間に特段の間隙を設ける必要がなく、厚み方向の寸法が最小限の照明装置となる。
したがって、本発明の第１の照明装置によれば、従来の照明装置よりも小型で、且つ、正面側の面全体の輝度をより一層均斉化できる照明装置となる。
【００２０】
本発明の第２の照明装置によれば、実質的にＤ１＞Ｄ２≧０ｍｍの関係にあり、このような厚さＤ１の空気層が設けられている。このため、面光源の光出射面の周縁部から出射した光の一部を、光透過性板へ直に入射させずに、一旦空気層を通過した後に光透過性板へ入射せしめることができる。つまり、周縁部から出射した光の一部を、面光源の光出射面と空気層との界面、及び、空気層と光透過性板との界面で屈折させながら適宜散乱させるとともに、空気層内を通過させる際にも適宜散乱させることができる。
このため、本発明の第２の照明装置によれば、第１の照明装置による効果に加えて、当接された面光源の光出射面の周縁部で輝度が高くなる場合又は輝度が低くなる場合であっても、光透過性板の第２主面における輝度の差を鈍らせることができる（いわば急峻な輝度のエッジをぼやかすことができる。）という効果を奏する。
したがって、本発明の第１の照明装置によれば、従来の照明装置よりも小型で、且つ、正面側の面全体の輝度をより一層均斉化できる照明装置となる。
【図面の簡単な説明】
【００２１】
【図１】実施形態１に係る照明装置１を説明するために示す図である。
【図２】実施形態１の面光源１００ａ／１００ｂを説明するために示す図である。
【図３】実施形態２に係る照明装置２及び実施形態２の面光源１０２ａ／１０２ｂを説明するために示す図である。
【図４】実施形態２における光拡散板の傾斜部のバリエーションを説明するために示す図である。
【図５】実施形態２の光拡散板１５０の傾斜部１１６の大きさ、角度等を説明するために示す光拡散板１５０の要部断面図である。
【図６】実施形態３に係る照明装置３を説明するために示す図である。
【図７】実施形態３に係る照明装置の変形例である照明装置４を説明するために示す図である。
【図８】変形例１に係る照明装置５を説明するために示す図である。
【図９】変形例２に係る照明装置６を説明するために示す図である。
【図１０】変形例３に係る照明装置７を説明するために示す図である。
【図１１】従来の照明装置８００を説明するために示す照明装置８００の断面図である。
【図１２】別の従来の照明装置９００を説明するために示す図である。
【発明を実施するための形態】
【００２２】
以下、本発明の照明装置を、図に示す実施形態に基づいて詳細に説明する。各図は模式図であり、各構成要素の寸法、角度等の表示は必ずしも実際のものを厳密に反映したものではない。
【００２３】
［実施形態１］
１．実施形態１に係る照明装置１の基本構成
図１は、実施形態１に係る照明装置１を説明するために示す図である。図１（ａ）は、照明装置１を組み立てる前の状態を示す斜視図である。図１（ｂ）は、照明装置１全体を斜視したときの斜視図である。図１（ｃ）は、照明装置１を図１（ｂ）のＡ−Ａ線に沿って切断してその断面を視たときの断面図である。図１（ｄ）は、図１（ｃ）において点線で囲んだ部分を拡大した要部断面図である。なお、説明において、２つの面光源１００ａ／１００ｂとを有する面光源１００と光透過性板２００とが積層されているとき、光透過性板２００が配置されている側を「正面側」又は「上」といい、面光源１００が配置されている側を「背面側」又は「下」ということがある。また、以下の説明において、複数の面光源（図１では面光源１００ａ及び面光源１００ｂがこれに相当する。）の総体を指して「面光源（図１における符号は１００）」という場合もあれば、個々の面光源を指してそれぞれを「面光源（図１における符号は１００ａ又は１００ｂ）」という場合もある。
【００２４】
実施形態１に係る照明装置１は、図１に示すように、面光源１００と、面光源１００の上に載置された光透過性板２００と、を備える。
【００２５】
（１）面光源１００
面光源１００は、面光源１００ａと面光源１００ｂとを有する。各面光源１００ａ／１００ｂは、光出射面１１０の少なくとも中央部１１２及び周縁部１１４から光を出射するものである。かかる面光源１００ａ／１００ｂは、該面光源１００ａ／１００ｂの側部１２０で互いに当接しながら隣り合うようにして配置されている。なお、図１において、右側に配置されている面光源１００ａと左側に配置されている面光源１００ｂとは、双方共通な構成のものを採用することが可能であることから、図１以降に示す各実施形態の説明では、片方の面光源に対しては説明を省略することがある。
【００２６】
面光源１００ａ／１００ｂは、光出射面１１０の中央部１１２のみならず周縁部１１４からも光を出射するものであれば、その内部構成は如何なるものであってもよい。
【００２７】
（２）光透過性板２００
光透過性板２００は、面光源１００の光出射面１１０の側に載置される。そして、光透過性板２００は、面光源１００の光出射面１１０から出射した光が入射する第１主面２１０、及び、該第１主面２１０と反対側の面であって第１主面２１０から入射した光が出射する第２主面２２０を有する。
なお、この光透過性板２００の第２主面２２０は、「照明装置１の正面側の面」を構成する。よって、照明装置１の正面側の面全体の輝度の均斉度は、かかる第２主面２２０全体を観察することによって把握される。
【００２８】
光透過性板２００は、光透過性を有する板である。光透過性を有するものであれば、濁りを有する非透明なものであってもよいし、透明なものであってもよい。光透過性板２００としては、例えば、アクリル、ポリカーボネート、その他の樹脂一般、ガラス等を採用することができる。非透明な光透過性板２００は、例えば、これらの部材に光散乱粒子を含有させて構成してもよい。光散乱粒子を用いた場合、顔料等の有色の粒子を含有させた場合と比較して含有物による光の吸収が少ないため、含有物の光の吸収による第２主面２２０からの出射光の出射光量の減少を抑制することが可能となる。また、光散乱粒子により光透過性板２００の内部に入射した光が散乱されることで、第２主面２２０からの出射光は出射場所による出射光量の差が小さくなり均一に近づき、よって、第２主面２２０からの出射光の輝度ムラが抑制される。更に、光散乱粒子が無い場合であれば第２主面２２０で全反射されていた光が光散乱粒子により光透過性板２００の内部で散乱されて散乱光となり、一部の散乱光が第２主面２２０により全反射されずに出射面である第２主面２２０から出射する。これにより、光透過性板２００の内部で全反射を繰り返すことによって生じる光透過性板２００を形成する光学樹脂等の材料による光の吸収を抑制することが可能となり、第２主面２２０からの出射光の出射光量を増加させることができる。
光透過性板２００の形状は板状である。例えば、完全に平面となっている板であってもよい。また、曲面部を有する板であってもよい。
【００２９】
（３）図柄層３００
実施形態１に係る照明装置１においては、光透過性板２００の第２主面２２０の上に、更に図柄層３００を設けてもよい。
図柄層３００はインク等の印刷材料、塗装材料、図柄が描かれた板などによって構成することができる。また光透過性板２００の第２主面２２０に、レーザーマーキング等の手法により直接図柄を形成したものも、ここでいう図柄層３００に含まれるものとする。
【００３０】
（４）複数の面光源１００と光透過性板２００との関係
面光源１００の光出射面１１０ａの周縁部１１４のうち、面光源１００ｂに隣接する辺の側に位置する周縁部１１４（例えば図１において右側に配置された面光源１００ａの光出射面１１０の周縁部１１４のうち、面光源１００ｂに隣接する辺の側に位置する「周縁部１１４ａ」をここでは指している。）と、光透過性板２００の第１主面２１０との間の間隙をＤ１とする（図１（ｄ）参照。）。
また、面光源１００ａ／１００ｂの光出射面１１０の中央部１１２と光透過性板２００の第１主面２１０との間の間隙をＤ２とする。
上記のように間隔Ｄ１及び間隔Ｄ２を定義したとき、実施形態１に係る照明装置１においては、実質的にＤ１＝Ｄ２＝０ｍｍの関係にある。
つまり、照明装置１は、面光源１００ａ／１００ｂの上に光透過性板２００が載置されているが、面光源１００ａ／１００ｂの中央部１１２においても周縁部１１４においても、光透過性板２００の第１主面２１０との間には実質的な隙間がなく、面光源１００ａ／１００ｂと光透過性板２００が重ね合されているとも言うことができる。
例えば、光透過性板２００の第１主面２１０が平面であるときを想定する。この場合、隣接する、一の面光源１００ａの周縁部１１４及び中央部１１２を含む光出射面１１０と、他の面光源１００ｂの周縁部１１４及び中央部１１２を含む光出射面１１０とは実質的な同一平面を形成し、面光源１００ａ／１００ｂの周縁部１１４及び中央部１１２で光透過性板２００の第１主面２１０と接するように構成される。
【００３１】
２．面光源１００ａ／１００ｂの詳細な構成
面光源１００ａ／１００ｂは、上述したように光出射面１１０の中央部１１２のみならず周縁部１１４からも光を出射するものであれば、その内部構成は如何なるものであってもよい。しかし、面光源１００ａ／１００ｂは、以下のような構成を採ることがより好ましい。
【００３２】
図２は、実施形態１の面光源１００ａ／１００ｂの具体的構成の一例を説明するために示す図である。図２（ａ）は、面光源１００ａ／１００ｂを正面側から視たときの平面図であり、図２（ｂ）は、面光源１００ａ／１００ｂを図２（ａ）のＡ−Ａ線に沿って切断してその断面を視たときの左側の要部断面図である。なお、図２（ｂ）における点線は、照明装置８００内を進行する光の一部について、その進行経路を例示的に説明するためのものであり、矢印の方向は光の進行方向を便宜的に示すものである。
【００３３】
面光源１００ａ／１００ｂは、図２に示すように、少なくとも導光板１３０と、発光源１４０と、光拡散板１５０とを備える。
【００３４】
（１）導光板１３０
導光板１３０は、端面１３２から入射した光を平面的な広がりをもって導くものである。導光板１３０は平板状をなし、端面１３２及び第１光出射面１３４を有する。また、第１光出射面１３４とは反対側に導光板裏面１３６を有する。
端面１３２は、発光源１４０から出射される光が入射される面である。第１光出射面１３４は、導光板１３０から光拡散板１５０に対して光を出射する光出射面である。導光板裏面１３６は、後述する反射板１６０と密接され、導光板裏面１３６は、導光板１３０の内部を進行する光反射面として機能する。
導光板１３０は、例えば光透過率の比較的高いアクリル系樹脂からなり、必要に応じて光散乱粒子をその中に含む。端面１３２は、導光板１３０を前方から見たとき、導光板１３０の外周の辺を形成するように直線状に構成してもよい《図２（ａ）参照。》。また、面光源の辺の一部を部分的に中央部寄りに凹状に窪ませて（図示を省略。）、当該凹状の窪みに発光源１４０を配置しつつ、当該凹状の窪みに臨む面を端面１３２として構成してもよい。
【００３５】
（２）発光源１４０
発光源１４０は、照明装置用の光を発するものであって、上記した導光板１３０の端面１３２に臨むようにして配置され、該端面１３２に向かって光を出射する。
発光源１４０としては、例えば、ＬＥＤを採用することができる。
発光源１４０は、導光板１３０の端面１３２に沿って複数個がほぼ一定の間隔を有して配列されている。発光源１４０は、導光板１３０の厚さ範囲に配置されるが、導光板１３０の厚さ方向のほぼ中央に配置すればなおよい。中央に配置することで、中央に配置しない場合に比べて外部に出射する光の光量が多くなる。
なお、図２（ａ）において、導光板１３０の左辺側と右辺側とにそれぞれ７個ずつ発光源１４０が配置された場合を例示しているが、発光源１４０の数は、面光源１００の平面サイズ、要求される明るさ等によって適宜選択される。
【００３６】
（３）光拡散板１５０
光拡散板１５０は、導光板１３０の第１光出射面１３４の側に配置される。光拡散板１５０は、第１光出射面１３４から出射した光が入射する第１光入射面１５１及び該第１光入射面１５１から入射した光が出射する第２光出射面１５２を有する。第２光出射面１５２は、上述の光出射面１１０に対応する。
光拡散板１５０は、光の輝度分布の均斉を促進するものであれば如何なるものであってもよいが、光散乱粒子（図示を省略。）が多数含有される光散乱導光体を採用してもよい。
【００３７】
（４）光拡散板１５０の凸条部１５５
また、光拡散板１５０は、凸条部１５５を有する。
凸条部１５５は、光拡散板１５０の周縁部１５４に設けられている。周縁部１５４は、上述の周縁部１１４に対応する。具体的には、凸条部１５５は、導光板１３０側に突出し、導光板１３０の第１光出射面１３４の周縁部１３５のうち少なくとも発光源１４０を臨む端面１３２側の周縁部１３５に対向する位置に設けられている。凸条部１５５は、第１光出射面１３４の周縁部１３５から出射する光が入射する第２光入射面１５６を有する。
【００３８】
凸条部１５５の第２光入射面１５６は、発光源１４０あるいは第１光出射面１３４（特に周縁部１３５）から出射する光が光遮蔽部１７２により遮蔽される領域である遮蔽領域Ｂと、光遮蔽部１７２により遮蔽されることなく入射する領域である入射領域Ｃとを有する。
凸条部１５５の第２光入射面１５６と、導光板１３０の発光源１４０が配置される側の周縁部１３５との間に光遮蔽部１７２を配置することにより、周縁部１３５から出射した第２光入射面１５６に入射する光量を制限することができる。遮蔽領域Ｂは、発光源１４０から出射された光を導光板１３０を介さずに直接光拡散板１５０に入射させない広さ（左右方向の幅寸法）を少なくとも有する。
なお、実施形態１では、遮蔽領域Ｂの広さ（左右方向の幅寸法）と入射領域Ｃの広さ（左右方向の幅寸法）とは、第１光出射面１３４から第２光入射面１５６に入射する光が第２光出射面１５２から出射する際に、第２光出射面１５２の全体の明るさが均一に近づくように設定される。すなわち、第１光出射面１３４から第２光入射面１５６に入射した光は主に、第２光出射面１５２の周縁部１５４から出射することになる。第２光出射面１５２の周縁部１５４の明るさが、該周縁部１５４よりも内側（中央部１５３）の明るさに近づくように、遮蔽領域Ｂの広さおよび入射領域Ｃの広さが設定される。中央部１５３は、上述の中央部１１２に対応する。
また、凸条部１５５は第２光入射面１５６と第一光入射面１５１とを接続する内周を形成する内側側面１５７と、第２光入射面１５６と第２光出射面１５２（特に周縁部１５４）とを接続する外周を形成する外周端面１５８と、を有する。
内側側面１５７および外周端面１５８は、第２光入射面１５６から入射した光の一部を全反射して凸条部１５５内部で導光することにより、第２光出射面１５２の特に周縁部１５４からの出射光の光量を増加させることが可能となる。
同時に、外周端面１５８へ入射する光の一部は全反射を破り外周端面１５８から出射するため、内側側面１５７での全反射により外周端面１５８への入射光を増加させ、外周端面１５８からの出射光の光量を増加させることが可能となる。
【００３９】
（５）反射板１６０
反射板１６０は、導光板１３０の導光板裏面１３６に密接するように配置される。反射板１６０は、導光板１３０に導かれた光のうち導光板裏面１３６側に漏えいした光を正面側（第１光出射面１３４側）に対し反射させる。
反射板１６０は、例えばアルミニウム箔のような反射率の比較的高い材料で形成されてもよい。なお、反射板１６０に代えて導光板１３０の導光板裏面１３６側に反射コートを形成してもよい。
【００４０】
（６）フレーム１７０
フレーム１７０は、導光板１３０、発光源１４０、反射板１６０等を固定するものである。フレーム１７０は、金属板を曲げ加工することによって形成してもよい。
フレーム１７０は、導光板１３０の端面１３２に沿う基部１７１と、基部１７１から導光板１３０の第１光出射面１３４側に延長された光遮蔽部１７２、反射板１６０側に延長された光遮蔽部１７３とを備えている。
フレーム１７０は、光遮蔽部１７２と光遮蔽部１７３とによって、導光板１３０と反射板１６０とを挟み込むようにして、導光板１３０及び反射板１６０を固定している。
光遮蔽部１７２は、発光源１４０から出射される光がそのまま光拡散板１５０に入射しないようにする光遮光機能、つまり、発光源１４０の光が発光源１４０よりも図示上方向に配置される光拡散板１５０に直接入射させないようにする光遮蔽機能を有する。光遮蔽部１７３は、発光源１４０からの光が反射板１６０の裏面側の外部に漏れさせないようにする光遮蔽機能を有する。
【００４１】
（７）その他
光拡散板１５０の外周端面１５８は、上述の面光源１００ａ／１００ｂの側部１２０に対応する。なお、フレーム１７０の外側面１７５が、光拡散板１５０の外周端面１５８と同一平面を形成するようにして、面光源１００ａ／１００ｂの側部１２０の一部を構成してもよい。
また、フレーム１７０の外側面１７５よりも光拡散板１５０の外周端面１５８のほうが、より外周側へ突出するように構成してもよい。この場合には外周端面１５８が側部１２０に対応し、面光源１００ａと面光源１００ｂを当接した際に、光拡散板１５０の外周端面１５８のみが隣接する面光源の外周端面１５８（側部１２０）と当接する面になる。
【００４２】
先行技術と共通する構成要素については、例えば、特許文献２に記載された手段と同様の手段を採用することができる。かかる構成要素の構成、機能等の詳しい説明は特許文献２の記載を援用することができる。
【００４３】
３．複数の面光源１００と光透過性板２００との一体化
（１）溶着による一体化
面光源１００ａ／１００ｂの光出射面１１０を構成する材料や光透過性板２００の第１主面２１０を構成する材料とは異なる材料（例えば接着剤等。）によって、光透過性板２００が面光源１００ａ／１００ｂに接着されている場合には、面光源１００の光出射面１１０から出射された光が光透過性板２００の第１主面２１０に向かって進行する際、これらの材料とは異なる材料の部位（接着剤等）を光が通過することとなり、意図しない光の減衰、屈折、散乱等が発生する可能性もある。
したがって、複数の面光源１００と光透過性板２００とを一体化するにあたり、接着剤等を用いずに溶着によって一体化することが好ましい。
【００４４】
（ａ）溶剤による溶着
光透過性板２００は、溶剤により溶着されて面光源１００ａ／１００ｂに載置されていることが好ましい。すなわち、光透過性板２００は、面光源１００ａ／１００ｂの光出射面１１０の材料に対応した溶剤、又は、光透過性板２００の第１主面２１０の材料に対応した溶剤により、面光源１００ａ／１００ｂに溶着されて載置されていることが好ましい。このようにして複数の面光源１００ａ／１００ｂと光透過性板２００とを一体化することにより、上記した意図しない光の減衰、屈折、散乱等の発生を抑制することができる。
【００４５】
（ｂ）超音波溶着による溶着
また溶剤によらなくても、例えば、面光源１００ａ／１００ｂの光出射面１１０と、光透過性板２００の第１主面２１０とを、超音波溶着によって溶着してもよい。
【００４６】
（２）外周縁を押えることによる一体化
また、溶着によらず機械的な方法で一体化することもできる。例えば、照明装置１の外周縁（図示を省略。）において、面光源１００ａ／１００ｂの背面側と光透過性板２００の第２主面側とを挟み込む形で、複数の面光源１００ａ／１００ｂと光透過性板２００とを固定して一体化してもよい。
【００４７】
４．実施形態１に係る照明装置１の作用・効果
（１）実施形態１に係る照明装置１は、光出射面１１０の少なくとも中央部１１２及び周縁部１１４から光を出射する面光源１００ａ／１００ｂが、該面光源１００ａ／１００ｂの側部１２０で互いに当接しながら隣り合うようにして配置された複数の面光源１００ａ／１００ｂと、複数の面光源１００ａ／１００ｂの光出射面１１０の側に載置され、面光源１００ａ／１００ｂの光出射面１１０から出射した光が入射する第１主面２１０、及び、該第１主面２１０と反対側の面であって第１主面２１０から入射した光が出射する第２主面２２０を有する光透過性板２００と、を備える。
そして、面光源１００ａまたは面光源１００ｂの光出射面１１０の周縁部１１４のうち、一方の面光源（例えば図１において右側に配置された面光源１００ａを中心に考えると、「別の面光源」は左側に配置された面光源１００ｂとなる。）に隣接する辺の側に位置する周縁部１１４ａまたは周縁部１１４ｂと光透過性板２００の第１主面２１０との間の間隙をＤ１とし、面光源１００の光出射面１１０の中央部１１２と光透過性板２００の第１主面２１０との間の間隙をＤ２としたとき、実質的にＤ１＝Ｄ２＝０ｍｍの関係にある。すなわち、光出射面１１０の全面が第１主面２１０に接触している状態である。
【００４８】
このような実施形態１に係る照明装置１によれば、光透過性板２００を第１主面（裏面）２１０から照らす光源は、従来の照明装置８００のような点光源でもなく線光源でもない面光源であるため、また、当該面光源としては中央部１１２のみならず周縁部１１４からも光を出射する面光源（いわゆる「縁なし」の面光源）を用いているため、光透過性板２００の第２主面２２０全体の輝度をより一層均斉化することができる。
また、かかる実施形態１に係る照明装置１によれば、複数の面光源１００ａ、１００ｂが、側部１２０で互いに当接しながら隣り合うようして配置できるため、面光源１００ａの光出射面１１０の光出射面１００ｂの光出射面１１０との間に間隙を形成しない。
さらに、面光源１００と光透過性板２００との間の間隔に関しては、実質的にＤ１＝Ｄ２＝０ｍｍの関係にある。つまり、面光源１００の光出射面１１０全体と光透過性板２００の第１主面２１０との間に間隙を有しない。これにより、照明装置の厚み方向の寸法を薄くすることができる。
したがって、実施形態１によれば、従来の照明装置よりも小型で、且つ、正面側の面全体の輝度をより一層均斉化できる照明装置１を提供することができる。
【００４９】
（２）また、実施形態１の面光源１００ａ／１００ｂは、端面１３２及び第１光出射面１３４を有する導光板１３０と、端面１３２に臨むようにして配置され、端面１３２に向かって光を出射する発光源１４０と、導光板１３０の第１光出射面１３４の側に配置され、第１光出射面１３４から出射した光が入射する第１光入射面１５１及び該第１光入射面１５１から入射した光が出射する第２光出射面１５２を有する光拡散板１５０と、を有する。
この光拡散板１５０は、導光板１３０側に突出し、導光板１３０の第１光出射面１３４の周縁部１３５のうち少なくとも発光源１４０を臨む端面１３２側の周縁部１３５に対向する位置に設けられ、第１光出射面１３４の周縁部１３５から出射する光が入射する第２光入射面１５６を有する凸条部１５５を有する。そして、光拡散板１５０の第２光出射面１５２が面光源１００ａ／１００ｂの光出射面１１０を構成し、光拡散板１５０の外周端面１５８が面光源１００の側部１２０を構成している。
【００５０】
実施形態１の面光源１００ａ／１００ｂは、光拡散板１５０の周縁部１５４に上記のような凸条部１５５を有することから、光拡散板１５０の周縁部１５４（発光源１４０の直上の部分を含む）にも十分に光をまわすことができ、面光源１００の光出射面１１０全体の輝度の均斉化を向上させることができる。
仮に、照明装置１の小型化のためにＤ１＝Ｄ２＝０ｍｍと設計したとしても、このような周縁部１５４にも光が十分にまわる面光源を用いることにより、光透過性板２００の第２主面２２０（照明装置１の正面側の面）全体の輝度の均斉化をも図ることができる。
したがって、実施形態１によれば、従来の照明装置よりも小型で、且つ、正面側の面全体の輝度をより一層均斉化できる照明装置を提供することができる。
【００５１】
［実施形態２］  
図３は、実施形態２に係る照明装置２及び実施形態２の面光源１０２ａ／１０２ｂを説明するために示す図である。図３（ａ）は、照明装置２の断面図である（実施形態１の図１（ｃ）に対応する図面である。）。図３（ｂ）は、図３（ａ）において点線で囲んだ部分を拡大した要部断面図である。図３（ｃ）は、面光源１０２の具体的構成を示したものであり、図３（ｂ）で右側に配置されている面光源１０２ａのみ抜粋して示している。なお、図３（ｃ）において、図２（ｂ）における実施形態１の面光源１００ａ／１００ｂと共通する部位の一部については説明を省略している。
図４は、実施形態２における光拡散板の傾斜部のバリエーションを説明するために示す図である。なお、符号１５５’’は光拡散板１５０の凸条部を示している。
【００５２】
実施形態２に係る照明装置２は、基本的には実施形態１に係る照明装置１と同様の構成を有するが、面光源の光出射面と光透過性板の第１主面との間の間隙の設定の仕方において、実施形態１に係る照明装置１とは異なる。
【００５３】
１．Ｄ１＞Ｄ２≧０ｍｍの関係性
実施形態２に係る照明装置２は、図３に示すように、光出射面１１０の少なくとも中央部１１２及び周縁部１１４から光を出射する面光源１０２ａ／１０２ｂが、該面光源１０２ａ／１０２ｂの側部１２０で互いに当接しながら隣り合うようにして配置された複数の面光源１０２ａ／１０２ｂと、複数の面光源１０２ａ／１０２ｂの光出射面１１０の側に載置され、面光源１０２ａ／１０２ｂの光出射面１１０から出射した光が入射する第１主面２１０、及び、該第１主面２１０と反対側の面であって第１主面２１０から入射した光が出射する第２主面２２０を有する光透過性板２００と、を備える。
そして、面光源１０２ａまたは面光源１０２ｂの光出射面１１０の周縁部１１４のうち、一方面光源（例えば図３において右側に配置された面光源１０２ａを中心に考えると、「別の面光源」は左側に配置された面光源１０２ｂとなる。）に隣接する辺の側に位置する周縁部１１４ａまたは周縁部１１４ｂと光透過性板２００の第１主面２１０との間の間隙をＤ１とし、面光源１０２の光出射面１１０の中央部１１２と光透過性板２００の第１主面２１０との間の間隙をＤ２としたとき、実質的にＤ１＞Ｄ２≧０ｍｍの関係にある。すなわち、面光源１０２ａ／１０２ｂのそれぞれの中央部１１２と光透過性板２００の第１主面２１０との間の間隙と比較して、面光源１０２ａ／１０２ｂの隣り合うようにして配置されたそれぞれの周辺部１１４と光透過性板２００の第１主面２１０との間の間隙が大きく開いている状態である。  
【００５４】
一般論として、面光源の側部で互いに当接しながら隣り合うようにして複数の面光源を配置すると、条件によっては、側部が当接された面光源の光出射面の周縁部では中央部よりも輝度が高くなる場合がある。条件によっては、逆に側部が当接された面光源の光出射面の周縁部では中央部よりも輝度が低くなる場合もある。いずれにせよ、このような状況で上記周縁部から出射した光を直に光透過性板に入射させると、光透過性板の第２主面において、上記周縁部に対応する箇所付近では輝度の差が際立ってしまい、その結果、輝線又は暗線のように見えるという課題が生じる。
【００５５】
実施形態２に係る照明装置２においては、実質的にＤ１＞Ｄ２≧０ｍｍの関係にある。換言すると、別の面光源に隣接する辺の側に位置する周縁部１１４と光透過性板２００の第１主面２１０との間には、面光源１０２の光出射面１１０の中央部１１２と光透過性板２００の第１主面２１０との間の間隙であるＤ２（≧０ｍｍ）よりも大きい間隙Ｄ１が設けられている。すなわち、側部１２０が当接された面光源１０２の周縁部１１４付近には、面光源１０２の光出射面１１０と光透過性板２００の第１主面２１０との間に厚さＤ１のいわゆる「空気層ＡＬ」が設けられている《図３（ｂ）参照。》。
【００５６】
実施形態２に係る照明装置２によれば、実質的にＤ１＞Ｄ２≧０ｍｍの関係にあり、このような厚さＤ１の空気層ＡＬが設けられているため、面光源１０２ａ／１０２ｂの光出射面１１０の上記周縁部１１４から出射した光の一部を、光透過性板２００へ直に入射させずに、一旦空気層ＡＬを通過した後に光透過性板２００へ入射せしめることができる。つまり、上記周縁部１１４から出射した光の一部を、面光源１０２ａ／１０２ｂの光出射面１１０と空気層ＡＬとの界面、及び、空気層ＡＬと光透過性板２００との界面で屈折させながら適宜散乱させるとともに、空気層ＡＬ内を通過させる際にも適宜散乱させることができる。
このため、例えば上記課題で説明したように当接された面光源の光出射面の周縁部で輝度が高くなる場合又は輝度が低くなる場合であっても、光透過性板２００の第２主面２２０における輝度の差を鈍らせることができる（いわば急峻な輝度のエッジをぼやかすことができる。）。
こうしたことから、結果的に照明装置２の正面側（光透過性板２００の第２主面２２０側）の面全体の輝度をより一層均斉化させることができる。
【００５７】
２．Ｄ１＞Ｄ２≧０ｍｍの実現方法
上記したように実施形態２に係る照明装置２は、実質的にＤ１＞Ｄ２≧０ｍｍの関係にある。実質的にＤ１＞Ｄ２≧０ｍｍの関係を構成するのであれば、如何なる方法でこれを実現してもよい。
【００５８】
（１）面光源の光出射面の高さの差
面光源１０２ａ／１０２ｂを水平面に正置したときに、光出射面１１０の中央部１１２の高さは、光出射面１１０の周縁部１１４（後述する傾斜部１１６も含まれる）の高さよりも高くなるよう構成することによって実現してもよい。
【００５９】
このように、面光源１０２ａ／１０２ｂの光出射面１１０の中央部１１２の高さは、光出射面１１０の周縁部１１４の高さよりも高くなっているため、面光源１０２ａ／１０２ｂの上に光透過性板２００を載置すれば、容易に、光出射面１１０の周縁部１１４と光透過性板２００の第１主面２１０との間に間隔Ｄ１を形成することができる。
【００６０】
（２）面取りによる構成
面光源の周縁部を、いわゆる「面取り」することによって実現してもよい。
すなわち、面光源１０２ａ／１０２ｂの光出射面１１０の周縁部１１４に、光出射面１１０を構成する光出射面１１０と側部１２０とを接続する傾斜部１１６が設けられるようにして、Ｄ１＞Ｄ２≧０ｍｍの関係性を実現してもよい《図３（ｂ）及び図３（ｃ）参照。》。
ここで、傾斜部１１６は、光出射面１１０の仮想延長線及び外周端面１５８の仮想延長線の交点（角）Ｃ１の周辺を削除したもので、いわゆる面取り部である《図３（ｃ）参照。》。
面取りの輪郭は、実施形態２に係る照明装置２の作用効果を奏するものであれば、適宜設計することができる。例えば、テーパー状（上に進むにつれて中央部１１２側に傾斜する）の平面であってもよい。また、光出射面１１０から傾斜部１１６に切り替わる第１切替点Ｃ２〜外周端面１５８から傾斜部１１６に切り替わる第２切替点Ｃ３の間を接続する何かしらの曲面であってもよい。曲面は、例えば単一円弧で描かれるものでもよいし、複数の円弧の組み合わせである、いわゆる「スプライン曲線」で描かれるものであってもよい（図４における符号１１６’参照。）。
【００６１】
（３）面取りによる効果
このように、いわゆる「面取り」によって設けた傾斜部１１６の高さは、結果的に光出射面１１０の高さよりも低い部位となる。したがって、このような構成とすることにより、傾斜部１１６（周縁部１１４の一部）と光透過性板２００の第１主面２１０との間に容易に間隙Ｄ１（ひいては空気層ＡＬ）を設けることができる。
【００６２】
また、面光源１０２の内部で進行する光の一部を、傾斜部１１６において外部に出射させることができる。すなわち、面光源１０２の内部で進行する光の一部は、傾斜部１１６を経由して、光出射面１１０に垂直な方向とは別の角度をもった方向で外部に出射する。このように出射された光についても入射する光透過性板２００では、傾斜部１１６が設けられない場合に比べて、第２主面２２０の当該周縁部１１４に対応する箇所付近における輝度不足を補うことができる。
【００６３】
また、実施形態１に示した光拡散板１５０のように、面光源１０２が凸条部１５５を有する光拡散板１５０を備えるときも、傾斜部１１６によって同様に輝度不足を補うことができる。
光拡散板１５０の周縁部１１４に傾斜部が設けられない場合には、凸条部１５５の内側の交差点Ｐ１《光拡散板１５０の第１光入射面１５１と凸条部の内側側面１５７とが交差する点を指す。》と光拡散板１５０の外周端縁１５９との間の光拡散板１５０の厚さは、他の部分よりも厚くなる。つまり、交差点Ｐ１と光拡散板１５０の外周端縁１５９との間の距離は、例えば交差点Ｐ１と光出射面１１０との間の距離よりも長くなっている。このため、交差点Ｐ１付近から入射し外周端縁１５９付近から出射する光については、比較的長い距離について光拡散板１５０の中を進行することとなり、光の強度はその分だけ余分に減衰してしまう。よって、このような経路を進行した後に外周端縁１５９付近から出射する光は、他の部分から出射する光よりも弱い光となって出射することとなる《図２（ｂ）参照。》。
しかしながら、上記した構成のように光拡散板１５０’に傾斜部１１６を設けるならば、交差点Ｐ１と傾斜部１１６との間の距離を、交差点Ｐ１と光出射面１１０との間の距離に、より近づけることができる。このため、傾斜部１１６から外部に出射する光は、傾斜部１１６が設けられない場合の外周端縁１５９から出射される光よりも減衰が少ない光となる。したがって、傾斜部１１６が設けられない場合に比べ、第２主面２２０の当該周縁部１１４に対応する箇所付近における輝度不足を補うことができる。
よって、いわゆる「面取り」による傾斜部１１６を設けることにより、照明装置２の正面側の面全体の輝度をより一層均斉化させることができる。
【００６４】
（４）凸条部１５５を有する光拡散板１５０を備えた面光源１０２
実施形態２の面光源１０２の具体的構成の一例は、以下のような構成である《図３（ｃ）参照。》。
【００６５】
すなわち、実施形態２の面光源１０２ａ／１０２ｂは、端面１３２及び第１光出射面１３４を有する導光板１３０と、端面１３２に臨むようにして配置され、端面１３２に向かって光を出射する発光源１４０と、導光板１３０の第１光出射面１３４の側に配置され、第１光出射面１３４から出射した光が入射する第１光入射面１５１及び該第１光入射面１５１から入射した光が出射する第２光出射面１５２を有する光拡散板１５０と、を有する。
また、光拡散板１５０は、導光板１３０側に突出し、導光板１３０の第１光出射面１３４の周縁部１３５のうち少なくとも発光源１４０を臨む端面１３２側の周縁部１３５に対向する位置に設けられ、第１光出射面１３４の周縁部１３５から出射する光が入射する第２光入射面１５６を有する凸条部１５５を有する。
そして、光拡散板１５０の第２光出射面１５２が面光源１０２の光出射面１１０を構成し、光拡散板１５０の外周端面１５８が面光源１０２の側部１２０を構成している。
【００６６】
（５）「面取り」の大きさ・角度
図５は、実施形態２の光拡散板１５０の傾斜部１１６の大きさ、角度等を説明するために示す光拡散板１５０の要部断面図である。
【００６７】
まず、上記（４）において説明した凸条部１５５を有する光拡散板１５０を備えた面光源１０２において、光拡散板１５０の凸条部１５５を、光出射面１１０に直交し且つ側部１２０（光拡散板１５０の外周端面１５８）に直交する平面で切断して、当該凸条部１５５の断面を視るものとする。
光拡散板１５０には、第２光出射面１５２を構成する光出射面１１０と、外周端面１５８とを接続する傾斜部１１６が設けられているものとしたとき、図３（ｃ）に示すような外周端面１５８に垂直な方向における凸条部１５５の厚みをＷと定義し、光出射面１１０に垂直な方向における、第２光入射面１５６から光出射面１１０までの凸条部１５５の高さをＨと定義し、光出射面１１０の仮想延長線及び外周端面１５８の仮想延長線の交点（角）Ｃ１と光出射面１１０から傾斜部１１６に切り替わる第１切替点Ｃ２との間の長さをＭと定義し、交点（角）Ｃ１と外周端面１５８から傾斜部１１６に切り替わる第２切替点Ｃ３との間の長さをＬと定義する。
【００６８】
参考までに、傾斜部１１６の長さ（第１切替点Ｃ２〜第２切替点Ｃ３を結ぶ線の長さ）を大きくし過ぎると、傾斜部１１６より出射する光が強くなりすぎる。逆に傾斜部１１６の長さを小さくし過ぎると、傾斜部１１６を設ける効果を十分に得られない。
また、傾斜部１１６の長さが一定であったとしても、一般に、傾斜部１１６の傾き（面光源１０２を水平面に正置したときの水平面に対する線分Ｃ２−Ｃ３の角度）を大きくし過ぎると、傾斜部１１６の角度は外周端面１５８の角度に近づき、傾斜部１１６のうち光出射面１１０寄りの部分については凸条部１５５の内側の交差点Ｐ１からの距離が遠くなり、交差点Ｐ１から進行する光はその分減衰が進んでしまい傾斜部１１６を設ける効果を減じてしまう。逆に小さくし過ぎると、傾斜部１１６の角度は光出射面１１０の角度に近づき、傾斜部１１６のうち外周端面１５８寄りの部分については凸条部１５５の内側の交差点Ｐ１からの距離が遠くなり、交差点Ｐ１から進行する光はその分減衰が進んでしまい傾斜部１１６を設ける効果を減じてしまう。
したがって、傾斜部１１６を形成する際には、上記のような事情を配慮しながら第１切替点Ｃ２、及び、第２切替点Ｃ３を最適な範囲で設定する必要がある。
【００６９】
実施形態２に係る照明装置２においては、傾斜部１１６に関係する寸法Ｗ、Ｍ、Ｈ及びＬを上記のように定義したとき、
（３／１０）Ｗ≦Ｍ≦（１５／１０）Ｗ、且つ、（２／１０）Ｈ≦Ｌ≦（９／１０）Ｈ
の関係を満たす範囲内で第１切替点Ｃ２、及び、第２切替点Ｃ３を設定し、この関係式の範囲内で輪郭が切り取られるようにして傾斜部１１６を形成することが好ましい（図５の１点鎖線に囲まれた領域を参照。）。
【００７０】
また、
（５／１０）Ｗ≦Ｍ≦（１３／１０）Ｗ、且つ、（５／１０）Ｈ≦Ｌ≦（８／１０）Ｈ
の関係を満たす範囲内で第１切替点Ｃ２、及び、第２切替点Ｃ３を設定し、この関係式の範囲内で輪郭が切り取られるようにして傾斜部１１６を形成することが一層好ましい（図５の２点鎖線に囲まれた領域を参照。）。
【００７１】
なお、実施形態２に係る照明装置２においても、実施形態１に係る照明装置１と同様に面光源１００と光透過性板２００とを一体化することが可能であり、その際にも溶剤による溶着や超音波溶着による溶着が好ましい。
更に、溶着の際に、面光源１００と光透過性板２００とを一体化する際に、面光源１００の光出射面１１０の中央部１１２付近と、光透過性板２００の第１主面２１０とを溶着することが好ましい。
上記の構成を適用すると、光出射面１１０の中央部１１２と第１主面２１０とを隙間なく溶着することにより強制的にＤ２を０に近付ける事が可能となり、かつ、仮に面光源１００が熱による膨張等による変形が生じたとしても、中央部１１２と第１主面２１０との距離が変化することを抑制し、よってＤ１＞Ｄ２≧０の関係性が崩れることを防ぐことが可能となる。
なお、実施形態２に係る照明装置２は、面光源の光出射面と光透過性板の第１主面との間の間隙の設定の仕方以外の点においては、実施形態１に係る照明装置１と同様の構成を有する。そのため、実施形態１に係る照明装置１が有する効果のうち該当する効果を同様に有する。
【００７２】
［実施形態３］
図６は、実施形態３に係る照明装置３を説明するために示す図である。図７は、実施形態３に係る照明装置の変形例である照明装置４を説明するために示す図である。
【００７３】
実施形態３に係る照明装置３は、基本的には実施形態２に係る照明装置２と同様の構成を有するが、Ｄ１＞Ｄ２≧０ｍｍの関係性の実現の仕方において、実施形態２に係る照明装置２とは異なる。
【００７４】
すなわち、実施形態３に係る照明装置３は、図６に示すように、面光源１０３ａ／１０３ｂを水平面に正置したときに、光出射面１１０の中央部の１１２高さは、光出射面１１０の周縁部１１４の高さよりも高くなるよう構成されており、且つ、断面が蒲鉾型の面光源１０３ａ／１０３ｂを用いてＤ１＞Ｄ２≧０ｍｍの関係性を実現している。
【００７５】
面光源の断面が蒲鉾型であること、すなわち、面光源１０３ａ／１０３ｂの光出射面１１０が略円弧状になっていることにより、光出射面１１０の周縁部１１４において、光透過性板２００の第１主面２１０との間隙が、中央部１１２から側部１２０に近づくにつれ徐々に大きくなる。
仮に、いわゆる「面取り」によって、Ｄ１＞Ｄ２≧０ｍｍの関係を実現した場合には（図３参照。）、照明装置の第２主面における輝度の均斉を図るために、傾斜部の設計（傾斜部の角度、長さ・面積等）をある程度厳密に行うことが必要となる。しかし、蒲鉾型の面光源１０３によれば、面取りによって構成する場合に比べ、光出射面１１０の周縁部１１４と光透過性板２００の第１主面２１０との間隙が、側部１２０に近づくにつれ徐々に大きくなるため、広い範囲に渡って光を徐々にぼやかすことができる。このため、比較的ラフな設計であっても容易に輝度の均斉化を図ることができる。
【００７６】
なお、蒲鉾型の面光源の光出射面の周縁部において、側部１２０の近傍において、面取りを行った傾斜部１１６を更に設けてもよい（図７の照明装置４を参照。）。
【００７７】
実施形態３に係る照明装置３，４は、Ｄ１＞Ｄ２≧０ｍｍの関係性の実現の仕方以外の点においては、実施形態２に係る照明装置２と同様の構成を有する。そのため、実施形態２に係る照明装置２が有する効果のうち該当する効果を同様に有する。
【００７８】
以上、本発明を上記の実施形態に基づいて説明したが、本発明は上記の実施形態に限定されるものではない。その趣旨を逸脱しない範囲において実施することが可能であり、例えば、次のような変形も可能である。
【００７９】
（１）上記実施形態において記載した構成要素の数、材質、形状、位置、大きさなどは例示であり、本発明の効果を損なわない範囲において変更することが可能である。
例えば、各図において、面光源を２個配列する例を示して説明した。しかしながら本発明はこれに限定されるものではない。面光源を３個、４個、６個等適宜に配列数を変更して本発明の照明装置を構成することができる。
【００８０】
（２）実施形態１〜３において、面光源の具体例として凸条部を有する光拡散板を備えた構成のものを示して説明した。しかしながら本発明はこれに限定されるものではない。
図８は、変形例１に係る照明装置５を説明するために示す図である。
本発明においては、図８に示すように平面的に発光することができる発光源１４０’を用い、当該発光源１４０’のうえに凸条部を有しない光拡散板１５０’を載置して面光源１００’を構成し、その上に光透過性板２００を重ね合わせて照明装置５を構成してもよい（変形例１）。
【００８１】
（３）実施形態２及び実施形態３において、Ｄ１＞Ｄ２≧０ｍｍの関係性を説明するために示した図（図３、図６等）においては、Ｄ２＝０ｍｍとした構成を例示した。しかしながら本発明はこれに限定されるものではない。例えば、面光源の光出射面１１０の中央部１１２付近にリブ（図示を省略。）を介装するなどして、面光源の光出射面１１０の中央部１１２と光透過性板２００の第１主面２１０との間の間隙Ｄ２の寸法を規制しながら、Ｄ２＞０ｍｍの関係を満たす照明装置としてもよい。
【００８２】
（４）実施形態３において、断面が蒲鉾型の面光源、つまり上面である光出射面１１０反っており、且つ、下面が平面である面光源を用いることにより、Ｄ１＞Ｄ２≧０ｍｍの関係性を実現していた。しかしながら本発明はこれに限定されるものではない。
図９は、変形例２に係る照明装置６を説明するために示す図である。図１０は、変形例３に係る照明装置７を説明するために示す図である。
本発明においては、図９に示すように、下面も上面（光出射面１１０）と同様に反っている面光源１０５ａ／１０５ｂを用いてもよい。また、図１０に示すように、面光源１００ａ／１００ｂの光出射面１１０の中央部１１２の高さと、周縁部１１４の高さは双方同じとしつつ、第１主面２１０’の側が凹となっている光透過性板２０１を用いてもよい。
【００８３】
（５）各実施形態においては、複数の面光源の面積の総和をＡｓｔとし、光透過性板２００の面積をＢとしたとき、ＡｓｔとＢとは概ね等しい関係の照明装置を例示した。しかしながら本発明においてはこれに限定されるものではない。
（ａ）例えば、Ａｓｔ＞Ｂの関係となっており、面光源の面積の総和が光透過性板２００の面積よりも大きい構成としてもよい。
（ｂ）逆に、Ａｓｔ＜Ｂの関係となっており、面光源の面積の総和が光透過性板２００の面積よりも小さい構成としてもよい。例えば、光透過性板２００のうち、照明が必要な一部の図柄の部分のみ光を照射するという用い方をすることができる。
この場合、０．５〜０．７＜（Ａｓｔ／Ｂ）≦１．０とすることが好ましい。
【００８４】
（６）各実施形態においては、複数の面光源の面積は、総て互いに同じ面積の面光源である場合を例示した。しかしながら本発明においてはこれに限定されるものではない。
他の面光源とは面積が異なる別の種類の面光源を用いて、これら種類の異なる面光源を組み合せて本発明の照明装置を構成してもよい。
このとき、複数の面光源のうち、最小の面積を有する面光源の面積をＡとし、光透過性板２００の面積をＢとしたときに、０．０２＜（Ａ／Ｂ）≦０．５の関係を満足するように、最少の面積を有する面光源を採用することが好ましい。
【００８５】
（７）各実施形態においては、側部１２０で互いに当接しながら隣り合うようにして複数の面光源を配置した構成の照明装置、すなわち一の面光源の側部と他の面光源の側部とが離間していない構成の照明装置を説明した。しかしながら本発明はこれに限定されるものではない。本発明を実施（本発明に係る照明装置を製造）する上では、本発明の作用効果を奏する限り、実用上ある程度の製造バラツキが許容されるものと解される。
したがって、複数の面光源の側部１２０同士において、一定範囲内の隙間をもって離間した構成の照明装置も本発明の照明装置のうちに含まれるものと解される。すなわち、複数の面光源の側部１２０同士において、設計上のマージン確保、製造上のバラツキ等を理由に若干の隙間があり、仮に互いに離間していたとしても、本発明の作用効果を奏する限り、かかる照明装置も本発明の照明装置のうちに含まれる。
このとき、例えば、隣り合う面光源の側部における互いの離間距離をＤ３とすると、
０≦Ｄ３＜（Ｄ１／ｃ）（但しｃは２≦ｃ≦９を満たす係数。）の関係を満足することが好ましい。
また、光透過性板２００の厚さをＤ４とし、光透過性板２００の光学的な濁度（粒子数Ｎに散乱断面積を乗じた値。）をｔとしたときに、｛Ｄ１＋Ｄ４×（１＋ｔ）｝／Ｄ３で得られる指標で、光透過性板２００の第２主面２２０全体における輝度の均斉度と、照明装置の発光効率を評価することが好ましい。
【００８６】
（８）各実施形態においては、個々の面光源１００，１０２の構成として導光板１３０と、発光源１４０と、拡散板１５０と、反射板１６０と、フレーム１７０と有する構成を示した。
しかし、他の構成として反射板１６０を複数の面光源１００，１０２で共有することも可能である。例えば拡散板よりも大型の１枚の反射板１６０の上に、導光板１３０と、発光源１４０と、拡散板１５０と、フレーム１７０とからなるモジュール品を平面上に複数個配置することで、反射板１６０を共有可能となる。
更にフレーム１７０を隣接する面光源１００，１０２の間で共有することが可能である。例えば導光板１３０の端面１３２付近に配置された発光源１４０の背面同士を対向させ、対向した発光源１４０の間に一つのフレーム１７０を配置することで、フレーム１７０を共有可能となる。
上記構成を取ることにより、部品点数を削減することが可能となる。
【符号の説明】
【００８７】
１，２，３，４，５，６，７，８００，９００…照明装置、１００，１００ａ，１００ｂ，１０２，１０２ａ，１０３，１０３ａ，１０３ｂ，１０５ａ，１０５ｂ，９１０…面光源、１１０…光出射面、１１２…（光出射面の）中央部、１１４，１１４ａ…（光出射面の）周縁部、１１６…傾斜部、１２０…（面光源の）側部、１３０，９３０ａ，９３０ｂ…導光板、１３２…（導光板の）端面、１３４…第１光出射面、１３５…（導光板の）周縁部、１３６…導光板裏面、１４０，１４０’，８４０，９４０ａ…発光源、１５０，１５０’…光拡散板、１５１…第１光入射面、１５２…第２光出射面、１５３…（光拡散板の）中央部、１５４…（光拡散板の）周縁部、１５５…（光拡散板の）凸条部、１５６…第２光入射面、１５７…内側側面、１５８…（光拡散板の）外周端面、１５９…（光拡散板の）外周端縁、１６０…反射板、１７０…フレーム、１７１…（フレームの）基部、１７２，１７３…（フレームの）光遮蔽部、１７５…（フレームの）外側面、２００，２０１…光透過性板、２１０，２１０’…第１主面、２２０…第２主面、３００…図柄層、８７０…外装ケース、９３４ａ，９３４ｂ…第１光出射面、９８０…支持部材
【図１】
2019102163.tif 000003
【図２】
2019102163.tif 000004
【図３】
2019102163.tif 000005
【図４】
2019102163.tif 000006
【図５】
2019102163.tif 000007
【図６】
2019102163.tif 000008
【図７】
2019102163.tif 000009
【図８】
2019102163.tif 000010
【図９】
2019102163.tif 000011
【図１０】
2019102163.tif 000012
【図１１】
2019102163.tif 000013
【図１２】
2019102163.tif 000014